(57)【要約】【課題】  信号を加工する際のパラメータを手動で連続的に変化させるパラメータ調整手段２１ａ，２１ｂと、別の機能を有する操作手段２６，２７ａ，２７ｂ，２８等とを有する信号加工装置において、パラメータ調整手段２１ａ，２１ｂの操作に連動して、容易且つ正確に当該別の機能を実行させる。【解決手段】  パラメータの値といずれかのこの操作手段２６，２７ａ，２７ｂ，２８等とを対応させたデータを作成する作成手段と、パラメータ調整手段２１ａ，２１ｂの操作による現在のパラメータの値が、このデータ内のパラメータの値に一致したことを検出する検出手段と、この検出手段の検出結果に基づき、このデータ内においてこのパラメータの値と対応している操作手段２６，２７ａ，２７ｂ，２８等の機能を実行する機能実行手段とを備える。【選択図】  図４
2007053541.tif 000002
【特許請求の範囲】
【請求項１】
供給される信号に対して所定の加工処理を施す信号加工部と、
前記信号加工部によって信号を加工する際のパラメータを手動で連続的に変化させるためのパラメータ調整手段と、
前記パラメータ調整手段とは別の機能を有する１つ以上の操作手段と
を有する信号加工装置において、
前記パラメータの値といずれかの前記操作手段とを対応させたデータを作成する作成手段と、
前記パラメータ調整手段の操作による現在のパラメータの値が、前記データ内のパラメータの値に一致したことを検出する検出手段と、
前記検出手段の検出結果に基づき、前記データ内において前記パラメータの値と対応している操作手段の機能を実行する機能実行手段と
を備えたことを特徴とする信号加工装置。
【請求項２】
請求項１に記載の信号加工装置において、
前記データは、前記パラメータの値と２つ以上の前記操作手段の操作の手順とを対応させたものであり、
前記機能実行手段は、前記検出手段の検出結果に基づき、前記データ内において前記パラメータの値と対応している前記操作手段の機能を前記手順に従って実行する
ことを特徴とする信号加工装置。
【請求項３】
請求項１に記載の信号加工装置において、
前記信号加工部は、出力する映像信号を或る映像信号から別の映像信号に遷移させる効果を施す回路であり、
前記パラメータ調整手段は、前記効果を施す際に、２つの前記映像信号の出力割合を示すパラメータを手動で連続的に変化させるための操作手段である
ことを特徴とする信号加工装置。
【請求項４】
請求項１に記載の信号加工装置において、
前記パラメータ調整手段は、スライド式のレバーを移動させることによって前記パラメータを変化させるフェーダーである
ことを特徴とする信号加工装置。
【請求項５】
請求項１に記載の信号加工装置において、
前記パラメータ調整手段を複数有しており、
前記データは、前記複数のパラメータ調整手段のうちのいずれか１つのパラメータ調整手段を特定する情報と、前記パラメータの値と、いずれかの前記操作手段とを対応させたものである
ことを特徴とする信号加工装置。
【請求項６】
請求項１に記載の信号加工装置において、
前記パラメータを自動的に変化させるパラメータ自動調整手段
をさらに備え、
前記機能実行手段は、前記パラメータ自動調整手段によって前記パラメータが調整される場合、前記パラメータ自動調整手段から供給される現在のパラメータ値の情報に基づき、現在のパラメータの値が前記データ内のパラメータの値と一致したことを判断して、前記データ内において前記パラメータの値と対応している操作手段の機能を実行する
ことを特徴とする信号加工装置。
【請求項７】
請求項１に記載の信号加工装置において、
前記機能実行手段の動作をオン／オフに切り換えるための操作手段
をさらに備えたことを特徴とする信号加工装置。
【請求項８】
請求項１に記載の信号加工装置において、
前記データを作成することを前記作成手段に指示するための操作手段
をさらに備えたことを特徴とする信号加工装置。
【請求項９】
請求項１に記載の信号加工装置において、
複数チャンネルの入力信号の中から、前記信号加工部に供給する信号を選択する入力選択部
を有しており、
前記操作手段は、前記入力選択部での入力信号の選択を指示するための操作手段を含む
ことを特徴とする信号加工装置。
【請求項１０】
請求項１に記載の信号加工装置において、
外部の機器を制御する制御手段
を有しており、
前記操作手段は、前記外部の機器の制御を指示するための操作手段を含む
ことを特徴とする信号加工装置。
【請求項１１】
請求項１に記載の信号加工装置において、
前記パラメータの現在の値を示す表示手段と、
前記機能実行手段が動作しているときの前記表示手段の表示状態を、前記機能実行手段が動作していないときの表示状態とは異ならせる制御手段と
を更に備えたことを特徴とする信号加工装置。
【請求項１２】
供給される信号に対して所定の加工処理を施す信号加工部と、
前記信号加工部によって信号を加工する際のパラメータを手動で連続的に変化させるためのパラメータ調整手段と、
前記パラメータ調整手段とは別の機能を有する１つ以上の操作手段と、
前記パラメータ調整手段，前記操作手段の機能を実行するための制御手段と
を有する信号加工装置における前記操作手段の機能の実行方法において、
前記制御手段が、前記パラメータの値といずれかの前記操作手段とを対応させたデータを作成するステップと、
前記制御手段が、前記パラメータ調整手段の操作による現在のパラメータの値と前記データ内のパラメータの値とが一致したことを検出するステップと、
前記制御手段が、前記検出の結果に基づき、前記データ内において前記パラメータの値と対応している操作手段の機能を実行するステップと
を有することを特徴とする信号加工装置の操作手段の機能の実行方法。
【発明の詳細な説明】
【技術分野】
【０００１】
本発明は、信号を加工する際のパラメータを手動で連続的に変化させる操作手段と、別の機能を有する操作手段とを有する信号加工装置に関し、特に、操作性の向上や操作ミスの軽減を図ったものに関する。
【背景技術】
【０００２】
テレビジョン放送等において映像を編集するために使用される業務用の装置の一つに、スイッチャと呼ばれる画像信号加工装置が存在する。スイッチャは、複数チャンネルの入力映像信号（ビデオカメラやＶＴＲ等からの映像信号）の中から映像信号を選択して出力したり、出力する映像信号を或る映像信号から別の映像信号に遷移させる効果（トランジション効果）を施す装置である。
【０００３】
スイッチャは、一般に、スイッチャ本体とコントロールパネルとで構成されている。コントロールパネルには、操作手段として、フェーダーが設けられるとともに、複数の押し釦が設けられている。
【０００４】
フェーダーは、前述のトランジション効果を施す際に、スライド式のレバーを一方の端部からもう一方の端部にまで移動させることにより、２つの映像信号の出力割合を示すパラメータを手動で連続的（シーケンシャル）に変化させるための操作手段である。
【０００５】
押し釦には、スイッチャ本体の制御（入力信号の選択や、字幕の表示等）を行う機能や、外部の機器（ＶＴＲ等）を制御する機能等が割り付けられている。
【０００６】
スイッチャを使用して映像を編集する際には、このフェーダーの操作と連動して、２つの映像信号が或る特定の出力割合になったタイミングで、別の機能を実行させなければならない場合が多い。例えば、２つの映像信号が或る特定の出力割合になったタイミングで、ＶＴＲを制御し、２つの映像信号の間に挟んで表示する別の映像信号をＶＴＲで再生させる場合がこれに該当する。また、２つの映像信号が或る特定の出力割合になったタイミングで、２つの映像信号のうちの一方に対応して字幕を表示する場合もこれに該当する。
【０００７】
従来、このようにフェーダーの操作と連動して別の機能を実行させるためには、一人のオペレータが片方の手でフェーダーを操作しながらもう片方の手でタイミングを見計らって押し釦を操作するか、あるいは、押し釦の操作を別のオペレータが担当し、二人のオペレータが互いにタイミングを合わせて操作を行うようにしていた。
【０００８】
なお、フェーダーを有する画像信号加工装置としては、フェーダーのレバーを端部にまで移動させたときに、切り換え後の映像信号への遷移が完了するのではなく、この遷移の途中の状態になるようにしたものも提案されている（例えば、特許文献１参照）。しかし、そうした画像信号加工装置においても、フェーダーの操作と連動して別の機能を実行させるためにはフェーダーと押し釦との両方を操作しなければならないことには変りはない。
【０００９】
【特許文献１】特開２００４−１７３０７４号公報（段落番号００５４〜００５８、図５）
【発明の開示】
【発明が解決しようとする課題】
【００１０】
しかし、フェーダーと押し釦とをタイミングを合わせて操作することは、集中を要する作業であり、オペレータの負担が大きい。また、フェーダーの操作と押し釦の操作とのタイミングがずれたり、押し釦を操作し忘れることにより、編集ミスが生じることがある。
【００１１】
特に、フェーダーの操作と連動して、 複雑な手順で一連の機能を実行したり、別の多数の機能を一度に実行する必要がある場合には、押し釦を複雑な手順で操作したり、一度に多数の押し釦を操作しなければならなくなるので、編集ミスが生じる可能性が大きくなる。
【００１２】
本発明は、上述の点に鑑み、このスイッチャのように、信号を加工する際のパラメータを手動で連続的に変化させるパラメータ調整手段と、別の機能を有する操作手段とを有する信号加工装置において、このパラメータ調整手段の操作に連動して、容易且つ正確にこの別の機能を実行させることを課題とする。
【課題を解決するための手段】
【００１３】
上記課題を解決するために、本発明は、供給される信号に対して所定の加工処理を施す信号加工部と、この信号加工部によって信号を加工する際のパラメータを手動で連続的に変化させるためのパラメータ調整手段と、このパラメータ調整手段とは別の機能を有する１つ以上の操作手段とを有する信号加工装置において、このパラメータの値といずれかのこの操作手段とを対応させたデータを作成する作成手段と、このパラメータ調整手段の操作による現在のパラメータの値が、このデータ内のパラメータの値に一致したことを検出する検出手段と、この検出手段の検出結果に基づき、このデータ内においてこのパラメータの値と対応している操作手段の機能を実行する機能実行手段とを備えたことを特徴とする。
【００１４】
また本発明は、供給される信号に対して所定の加工処理を施す信号加工部と、この信号加工部によって信号を加工する際のパラメータを手動で連続的に変化させるためのパラメータ調整手段と、このパラメータ調整手段とは別の機能を有する１つ以上の操作手段と、このパラメータ調整手段，操作手段の機能を実行するための制御手段とを有する信号加工装置におけるこの操作手段の機能の実行方法において、この制御手段が、このパラメータの値といずれかのこの操作手段とを対応させたデータを作成するステップと、この制御手段が、このパラメータ調整手段の操作による現在のパラメータの値とこのデータ内のパラメータの値とが一致したことを検出するステップと、この制御手段が、この検出の結果に基づき、このデータ内においてこのパラメータの値と対応している操作手段の機能を実行するステップとを有することを特徴とする。
【００１５】
本発明では、信号加工部によって信号を加工する際のパラメータ値と、パラメータ調整手段とは別の機能を有する操作手段とを対応させたデータが作成される。
【００１６】
そして、パラメータ調整手段を操作することによってこのパラメータが連続的に変化し、現在のパラメータの値がこのデータ内のパラメータの値と一致した状態に至ると、そのことが検出されて、このデータ内においてこのパラメータの値と対応している操作手段の機能が自動的に実行される。
【００１７】
このように、パラメータ調整手段を操作するだけで、パラメータが或る特定の値になったタイミングで、別の操作手段の機能が自動的に実行される。これにより、パラメータ調整手段の操作に連動して、容易且つ正確に別の機能を実行させることができる。
【００１８】
また、このデータ内のパラメータ値を任意に設定することにより、任意のタイミングでこの別の機能を実行させることができる。
【発明の効果】
【００１９】
本発明によれば、信号を加工する際のパラメータを手動で連続的に変化させるパラメータ調整手段と、別の機能を有する操作手段とを有する信号加工装置において、このパラメータ調整手段の操作に連動して、任意のタイミングで、容易且つ正確にこの別の機能を実行させることができるという効果が得られる。
【発明を実施するための最良の形態】
【００２０】
以下、スイッチャに本発明を適用した例について、図面を用いて具体的に説明する。図１は、本発明を適用したスイッチャの全体構成を示す図である。このスイッチャは、コントロールパネル１と、スイッチャ本体２とで構成されている。コントロールパネル１とスイッチャ本体２とは、ネットワーク（ＬＡＮ）３で接続されている。
【００２１】
スイッチャ本体２には、複数台のＶＴＲ４や、図示しないビデオカメラから映像信号が入力される。スイッチャ本体２の出力映像信号は、モニター５や、図示しない番組送出用の機器や映像記録装置等に送られる。
【００２２】
図２は、スイッチャ本体２の構成例を示す図である。スイッチャ本体２には、複数の画像加工部４１（図にはそのうちの２つの画像加工部４１ａ，４１ｂを示している）と、制御部５０とが設けられている。各画像加工部４１は、入力選択部４２と、合成処理部４５と、キー処理４６と、キー信号選択部４７とを有している。
【００２３】
入力選択部４２は、入力バス４３ａ，４３ｂをそれぞれ入力ライン４４ａ〜４４ｈ（図１のＶＴＲ４やビデオカメラからの映像信号や、スイッチャ内部で発生した信号が入力されるライン）のうちのいずれかに接続するマトリクス状のスイッチ群を有しており、入力バス４３ａ，４３ｂでそれぞれいずれか１つの入力ラインからの入力信号を選択できる。入力選択部４２で選択された信号は、合成処理部４５に供給される。
【００２４】
合成処理部４５は、出力する映像信号を或る映像信号から別の映像信号に遷移させる効果（トランジション効果）を施す回路である。このトランジション効果の種類には、或る映像信号から徐々に別の映像信号に切り換わるワイプ，ＤＭＥワイプや、或る映像信号の表示領域の一部に別の映像信号を合成するキーイング合成や、ＮＡＭ等が存在する。合成処理部４５の出力信号は、キー処理部４６に供給される。
【００２５】
キー信号選択部４７は、入力バス４８を入力ライン４９ａ〜４９ｄ（字幕等の文字列を表すキー信号が入力されるライン）のうちのいずれかに接続するスイッチ群を有しており、いずれか１つの入力ラインからの入力信号を選択できる。キー信号選択部４７で選択されたキー信号は、キー処理部４６に供給される。
【００２６】
キー処理部４６は、合成処理部４５の出力信号に、キー信号選択部４７で選択されたキー信号を合成する回路である。キー処理部４６の出力信号は、スイッチャ本体２の外部に出力され、図１に示したようにモニター６等に送られる。
【００２７】
また、画像加工部４１ａのキー処理部４６の出力信号は、画像加工部４１ｂの入力選択部４２に入力ライン４４ｈから再入力される。したがって、画像加工部４１ａと画像加工部４１ｂとを直列に接続した状態で使用して、画像加工部４１ａでトランジション効果やキー処理を施した映像信号に対して、画像加工部４１ｂでさらにトランジション効果やキー処理を施すことも可能である。
【００２８】
制御部５０は、マイクロコンピュータやネットワーク用の通信インタフェースを用いて構成されており、図１のコントロールパネル１からＬＡＮ３経由で送信されるコマンドに基づいて各画像加工部４１を制御する。
【００２９】
コントロールパネル１は、スイッチャ本体２の制御や、ＶＴＲ４の制御を行うためのパネルである。図３は、コントロールパネル１の構成を示す図である。コントロールパネル１には、操作卓１１と、制御部１２と、表示部１３（例えば液晶ディスプレイ）とで構成されている。
【００３０】
制御部１２は、マイクロコンピュータやネットワーク用の通信インタフェースやシリアル通信用の通信インタフェースを用いて構成されており、操作卓１１の操作内容に応じたコマンドを、ＬＡＮ３経由でスイッチャ本体２内の制御部５０（図２）に送信したり、シリアル通信によってＶＴＲ４（図１）に送信する。
【００３１】
また、制御部１２は、操作卓１１の操作内容や、スイッチャ本体２内の制御部５０から受信した情報等に応じて、表示部１３の表示内容を制御する。さらに、制御部１２は、後で図８や図１０を用いて説明するような、本発明に特有の処理を行う。
【００３２】
操作卓１１には、スイッチャ本体２の操作や、ＶＴＲ４の操作や、スイッチャのセットアップ等を行うための各種の操作手段が配置されている。図４は、これらの操作手段のうち、本発明に関連する部分を示す図である。操作卓１１には、下記のような操作手段が配置されている。
(1)二組のフェーダー２１（２１ａ，２１ｂ）
(2)二組のオートトランジション釦２４（２４ａ，２４ｂ）
(3)二組の入力選択用の押し釦群２５（２５ａ，２５ｂ）
(4)キー信号選択用の押し釦群２６
(5)二組のキーオン／オフ切り換え釦２７（２７ａ，２７ｂ）
(6)ＶＴＲ制御用の押し釦群２８
(7)マクロレジスタ呼出し釦２９
(8)テンキー３０
(9)マクロ設定・実行用の押し釦群３１
(10)二組のアタッチメント位置設定用釦３２（３２ａ，３２ｂ）
【００３３】
二組のフェーダー２１のうち、フェーダー２１ａは、スイッチャ本体２内の画像加工部４１ａ（図２）のほうの合成処理部４５を操作するためのものであり、フェーダー２１ｂは、画像加工部４１ｂのほうの合成処理部４５を操作するためのものである。
【００３４】
各フェーダー２１には、スライド式のレバー２２と、インジケータ２３とが設けられている。フェーダー２１は、スイッチャ本体２内の合成処理部４５によってトランジション効果を施す際に、レバー２２を一方の端部からもう一方の端部にまで移動させることにより、２つの映像信号（切り換え前の映像信号と切り換え後の映像信号）の出力割合を示すパラメータを手動で連続的に変化させるための操作手段である。インジケータ２３は、レバー２２の位置をＬＥＤ（発光ダイオード）によって表示する役割を有する。
【００３５】
フェーダー２１からは、一定のサンプリング周期で、レバー２２の現在の位置を示す情報が制御部１２（図３）に送られる。制御部１２は、この情報によって示されるレバー２２の位置が変化する毎に、前述の２つの映像信号の出力割合を示すパラメータとして、現在のレバー２２の位置に対応した値のパラメータを算出する。そして、そのパラメータをスイッチャ本体２内の制御部５０（図２）に送信する。
【００３６】
スイッチャ本体２内の制御部５０では、このパラメータにより、合成処理部４５における２つの映像信号の出力割合を制御する。
【００３７】
図５は、このフェーダー２１のレバー２２の位置と合成処理部４５からの２つの映像信号の出力割合との関係を例示する図である。図５の上段左側に示すように、レバー２２を上端Ｐから下端Ｒに向けて移動させる場合、制御部１２は、下記の式によって、レバー２２の現在の位置ＱにおけるパラメータＡ，Ｂ（パラメータＡは、２つの映像信号のうちの切り換え前の映像信号の出力割合を示し、パラメータＢは、切り換え後の映像信号の出力割合を示す）。
Ａ＝ｍ
Ｂ＝（１−ｍ）  （但し、０≦ｍ≦１｝
【００３８】
したがって、レバー２３を上端Ｐから下端Ｒにまで移動させる場合、このパラメータＡ，Ｂは、図５の上段右側に示すように、ＡＢ座標空間内の線分Ｐ’−Ｒ’を点Ｐ’から点Ｒ’にまで移動する点Ｑ’の座標値（Ａ，Ｂ）として表される。このことは、パラメータＡが１００％である状態から、パラメータＢが１００％である状態に徐々に遷移することを意味する。
【００３９】
図５の下段には、トランジション効果としてワイプを施す場合の、位置Ｑにおける合成処理部４５からの２つの映像信号の出力割合を示している。レバー２２が上端Ｐに位置するときには、パラメータＡが１００％なので、切り換え前の映像信号のみが出力される。その後、図５の下段に示すように切り換え後の映像信号の出力割合が増えていき、レバー２２が下端Ｒに到達すると、切り換え後の映像信号のみが出力されるようになる。
【００４０】
図４の二組のオートトランジション釦２４のうち、オートトランジション釦２４ａは、スイッチャ本体２内の画像加工部４１ａのほうの合成処理部４５に対応しており、オートトランジション釦２４ｂは、画像加工部４１ｂのほうの合成処理部４５に対応している。オートトランジション釦２４は、対応する合成処理部４５によってトランジション効果を施す際の２つの映像信号の出力割合を、一定速度で自動的に変化させるための押し釦である。
【００４１】
オートトランジション釦２４が操作されると、コントロールパネル１内の制御部１２（図３）は、オートトランジションを指示するコマンドをスイッチャ本体２内の制御部５０（図２）に送信する。制御部５０は、このコマンドに基づき、上述のパラメータＡ，Ｂを、パラメータＡが１００％である状態から、パラメータＢが１００％である状態に、一定の時間をかけて一定速度で変化させる。
【００４２】
また、制御部５０は、そのオートトランジション釦２４に対応するフェーダー２１のインジケータ２３に現在の出力割合に一致するレバー２２の位置を表示させるためのタリー情報を、コントロールパネル１内の制御部１２に送信する。制御部１２は、このタリー情報に基づき、そのオートトランジション釦２４に対応するフェーダー２１のインジケータ２３の表示を制御する。
【００４３】
図４の二組の押し釦群２５のうち、押し釦群２５ａは、スイッチャ本体２内の画像加工部４１ａのほうの入力選択部４２で入力信号を選択するためのものであり、押し釦群２５ｂは、画像加工部４１ｂのほうの入力選択部４２で入力信号を選択するためのものである。各押し釦群２５には押し釦が二列に配列されており、上側の列は入力バス４３ａで入力信号を選択するためのものであり、下側の列は入力バス４３ｂで入力信号を選択するためのものである。
【００４４】
キー信号選択用の押し釦群２６は、スイッチャ本体２内の画像加工部４１ａ，４１ｂのうちのいずれかのキー信号選択部４７を指定するとともに、指定したキー信号選択部４７でキー信号を選択するためのものである。
【００４５】
二組のキーオン／オフ切り換え釦２７のうち、釦２７ａは、画像加工部４１ａ内において、キー信号選択部４７で選択したキー信号をキー処理部４６によって合成するか否かを切り換えるためのものであり、釦２７ｂは、画像加工部４１ｂ内において、キー信号選択部４７で選択したキー信号をキー処理部４６によって合成するか否かを切り換えるための押し釦である。
【００４６】
押し釦群２８は、図１の任意の一台のＶＴＲ４を選択し、そのＶＴＲ４を制御して映像信号を再生させたり再生を停止させるためのものである。
【００４７】
マクロレジスタ呼出し釦２９及び押し釦群３１は、マクロ機能のための押し釦である。次に、マクロ機能について説明する。マクロ機能とは、オペレータが操作卓１１上で行った操作の手順を、データとして制御部１２（図３）内のメモリに登録しておき、必要に応じてこのデータを呼び出して、同じ手順を自動的に再現する機能である。このデータを登録するためのメモリ領域を、マクロレジスタと呼ぶ。
【００４８】
このマクロ機能により、オペレータは、複雑な手順は事前にマクロレジスタに登録して実行させることで操作の手数を減らしたり、ある操作によって実行される機能に連動するように設定することでオペレーションミスを防いだりすることができる。
【００４９】
マクロレジスタに登録することができる操作卓１１上での操作をマクロイベントと呼び、これをデータ化したものをイベントデータと呼ぶ。 各イベントデータは、各操作手段の操作毎に、その操作を表すシンボルと、その操作を再現させるために必要となる下記のパラメータの集合とで構成される。
(1)スイッチャ本体２内の画像加工部４１ａと画像加工部４１ｂとを識別するパラメータ“ＭＥ”
(2)入力バス４３ａと入力バス４３ｂとを識別するパラメータ“ＭＥＢｕｓ”
(3)入力ラインを識別するパラメータ“Ｘｐｔ”
(4)選択する入力信号が映像信号であるかキーイング合成用の信号（別の映像信号を合成すべき表示領域を指定する信号）であるかを識別するパラメータ“ＶｉｄｅｏＫｅｙ”
【００５０】
図６は、一例として、スイッチャ本体２内の画像加工部４１ａの入力選択部４２の入力バス４３ａで、入力ライン４４ａからの入力信号を選択する操作を行った場合のイベントデータを示す。
【００５１】
パラメータ“ＭＥ”の設定値“ＭＥ１”は画像加工部４１ａを表しており、パラメータ“ＭＥＢｕｓ”の設定値“Ａ”は入力バス４３ａを表している。
【００５２】
パラメータ“Ｘｐｔ”の設定値“１”は入力ライン４４ａを表しており、パラメータ“ＶｉｄｅｏＫｅｙ”の設定値“Ｖｉｄｅｏ”は映像信号を表している。
【００５３】
１つのマクロレジスタには、上記のようなイベントデータが、各操作手段の操作手順に従って順次登録される。そして、そのマクロレジスタを呼び出すことにより、その手順が自動的に再現される。マクロレジスタは、例えばレジスタ番号が１番から９９番までの９９個のものが用意されている。図４のマクロレジスタ呼出し釦２９は、マクロの登録時や実行時に、テンキー３０で任意のレジスタ番号を入力し、そのレジスタ番号のレジスタを呼出すための押し釦である。
【００５４】
操作卓１１上に配置された押し釦には、これらのマクロレジスタのうちの任意のレジスタ番号のマクロレジスタを割り付け、その押し釦本来の機能の実行とマクロ機能の実行とを連動させることができる。この割り付けのことをマクロアタッチメントと呼び、マクロアタッチメントの内容を示すデータをマクロアタッチメントデータと呼ぶ。このマクロアタッチメントデータも、制御部１２内のメモリに登録される。マクロアタッチメントデータを登録するためのメモリ領域を、マクロアタッチレジスタと呼ぶ。
【００５５】
マクロアタッチメントデータは、下記のパラメータの集合と、マクロアタッチメントの設定時におけるその押し釦の操作をデータ化したイベントデータとで構成される。イベントデータについては、既に図６を用いて説明した通りである。
(1)マクロアタッチメントの対象となるモジュール（操作卓１１上の、共通する機能を有する複数の押し釦の集合）を識別するパラメータ“Ｍｏｄｕｌｅ”
(2)そのモジュール内でマクロアタッチメントの対象となる押し釦を識別するパラメータ“Ｂｕｔｔｏｎ”
(3)その押し釦に割り付けられるマクロレジスタのレジスタ番号を識別するパラメータ“ＭａｃｒｏＲｅｇ”
(4)マクロアタッチメントのモードを識別するパラメータ“ＭａｃｒｏＭｏｄｅ”
【００５６】
パラメータ“ＭａｃｒｏＭｏｄｅ”が表すモードには、その押し釦本来の機能をマクロ機能よりも先に実行するプリモードや、その押し釦本来の機能をマクロ機能の後に実行するポストモードや、その押し釦本来の機能をマクロ機能と並行して実行するノーアサインモードが存在する。図４の押し釦群３１には、このモードを選択するための押し釦が含まれている。
【００５７】
これらのパラメータにより、操作卓１１上のどの押し釦にどのレジスタ番号のマクロレジスタが割り付けられたかを判別することができる。また、操作卓１１上の押し釦の機能はセットアップによって変更されることがあるが、イベントデータにより、その押し釦がマクロアタッチメントの設定時にどの機能を有していたかを特定することができる。
【００５８】
図７は、一例として、図４の押し釦群２５ａのうちの上側の列の左端の押し釦に、レジスタ番号１のマクロレジスタが割り付けられた場合のマクロアタッチメントデータのパラメータを示す。
【００５９】
パラメータ“Ｍｏｄｕｌｅ”の設定値“ＭＥ１Ｘｐｔ”は押し釦群２５ａを表しており、パラメータ“Ｂｕｔｔｏｎ”の設定値“ＡＢｕｓ１”は上側の列の左端の押し釦を表している。
【００６０】
パラメータ“ＭａｃｒｏＲｅｇ”の設定値“１”はレジスタ番号１を表しており、パラメータ“ＭａｃｒｏＭｏｄｅ”の設定値“Ｐｒｅ”は前述のプリモードを表している。
【００６１】
或る押し釦にマクロアタッチメントを設定するためには、その押し釦に割り付けるマクロレジスタを呼び出した状態で、マクロアタッチメントの設定可能モードにおいて、その押し釦を操作する。これにより、制御部１２が、その押し釦についてのマクロアタッチメントデータを作成してマクロアタッチレジスタに登録する。図４の押し釦群３１には、この設定可能モードをオン／オフに切り換えるための押し釦が含まれている。
【００６２】
また、すでにマクロアタッチメントが設定されている押し釦に対して同様の操作を行った場合には、制御部１２は、マクロアタッチレジスタに登録されているその押し釦についてのマクロアタッチメントデータを削除することにより、その押し釦についてのマクロアタッチメントの設定を解除する。
【００６３】
制御部１２は、設定可能モードがオンのときには、マクロアタッチメントが設定されている押し釦に付属しているＬＥＤを点滅動作させる。これにより、コントロールパネル１を操作するオペレータは、その押し釦にマクロアタッチメントが設定されていることを確認することができる。
【００６４】
マクロアタッチメントの実行可能モードにおいて、マクロアタッチメントが設定された押し釦を操作すると、その操作をトリガとして、その押し釦に割り付けられたレジスタ番号のマクロレジスタが自動的に呼び出され、そのマクロレジスタに登録されているイベントデータが順次実行される。これにより、その押し釦本来の機能と連動して、マクロ機能が実行される。図４の押し釦群３１には、この実行可能モードをオン／オフに切り換えるための押し釦も含まれている。
【００６５】
本発明の特徴として、コントロールパネル１は、押し釦だけではなく、フェーダー２１（図４）にもこのマクロアタッチメントを設定して、フェーダー２１やオートトランジション釦２４の操作によるトランジション効果と連動してマクロ機能を実行させることが可能になっている。図４のアタッチメント位置設定用釦３２ａ，３２ｂは、それぞれフェーダー２１ａ，２１ｂにマクロアタッチメントを設定するトリガを与えるための押し釦である。
【００６６】
図８は、コントロールパネル１内の制御部１２（図３）が、フェーダー２１にマクロアタッチメントを設定するための処理を示すフローチャートである。この処理では、フェーダー２１ａ，２１ｂから送られるレバー２２の位置情報を取得しながら（ステップＳ１）、アタッチメント位置設定用釦３２ａ，３２ｂのうちのいずれかが押されるまで待機する（ステップＳ２）。
【００６７】
そして、アタッチメント位置設定用釦３２ａ，３２ｂのうちのいずれかが押されると、押し釦群３１（図４）によってマクロアタッチメントの設定可能モードがオンにされているか否かを判断する（ステップＳ３）。ノーであれば、そのまま処理を終了する。他方イエスであれば、押し釦２９及びテンキー３０（図４）によっていずれかのレジスタ番号のマクロレジスタが呼び出されているか否かを判断する（ステップＳ４）。
【００６８】
ノーであれば、そのまま処理を終了する。他方イエスであれば、押されたアタッチメント位置設定用釦３２に対応するフェーダー２１（アタッチメント位置設定用釦３２ａが押された場合にはフェーダー２１ａ、アタッチメント位置設定用釦３２ｂが押された場合にはフェーダー２１ｂ）について、マクロアタッチメントが未設定である（マクロアタッチレジスタにマクロアタッチメントデータが未登録である）か否かを判断する（ステップＳ５）。
【００６９】
イエスであれば、そのフェーダーについて、現在のレバー２２の位置（ステップＳ１で最後に取得した位置情報によって示される位置）を示すパラメータをイベントデータ中に含んだマクロアタッチメントデータを作成し、そのマクロアタッチメントデータをマクロアタッチレジスタに登録する（ステップＳ６）。そして処理を終了する。
【００７０】
ステップＳ５でノーであれば、マクロアタッチレジスタに登録されているそのフェーダーについてのマクロアタッチメントデータを削除することにより、そのフェーダーについてのマクロアタッチメントの設定を解除する（ステップＳ７）。そして処理を終了する。
【００７１】
図８のステップＳ６で作成されるマクロアタッチメントデータは、図７に例示したようなマクロアタッチメントデータのパラメータの集合と、フェーダー用のイベントデータとで構成される。フェーダー用のイベントデータには、フェーダーの操作を表すシンボルと、その操作を再現させるために必要となる下記のパラメータの集合とで構成される。
(1)スイッチャ本体２内の画像加工部４１ａと画像加工部４１ｂとを識別するパラメータ“ＭＥ”
(2)マクロアタッチメントの設定時のレバー２２の位置（図８のステップＳ１で最後に取得した位置情報によって示される位置）を示すパラメータ“ＦａｄｅｒＶａｌｕｅ”
【００７２】
図９は、一例として、フェーダー２１ｂのレバー２２が上端と下端との真中の位置にあるときにアタッチメント位置設定用釦３２ｂが押された場合に作成されるマクロアタッチメントデータを示す。図１０には、レバー２２がこの真中の位置Ｑにある状態を、前出の図５と同様に合成処理部４５からの２つの映像信号の出力割合と関連させて示している。
【００７３】
図９において、はパラメータ“Ｍｏｄｕｌｅ”の設定値“ＰＰＳｔａｎｄａｒｄＴｒａｎｓｉｔｉｏｎ”はフェーダー２１ｂを含んだモジュールを表しており、パラメータ“Ｂｕｔｔｏｎ”の設定値“ＭａｉｎＦａｄｅｒ”はフェーダー２１ｂを表している。
【００７４】
パラメータ“ＭａｃｒｏＲｅｇ”の設定値“１”はレジスタ番号１を表しており、パラメータ“ＭａｃｒｏＭｏｄｅ”の設定値“ＮｏＡｓｓｉｇｎ”は前述のノーアサインモード（フェーダー本来の機能をマクロ機能と並行して実行するモード）を表している。
【００７５】
イベントデータ中のパラメータ“ＭＥ”の設定値“ＰＰ”は、画像加工部４１ｂを表している。
【００７６】
イベントデータ中のパラメータ“ＦａｄｅｒＶａｌｕｅ”の設定値“５０”は、レバー２２の移動範囲ｍを０≦ｍ≦１００とした場合の現在の位置の値であり、上端と下端との真中の位置であることを表している。
【００７７】
この図８の処理により、コントロールパネル１を操作するオペレータは、フェーダー２１のレバー２２を任意の位置に移動させ、そのレバー２２の位置に対してマクロレジスタを割り付けることができる。
【００７８】
なお、制御部１２は、設定可能モードがオンのときには、マクロアタッチメントが設定された時点でのレバー２２の位置を、インジケータ２３で表示させる。これにより、オペレータは、レバー２２がどの位置にある状態でフェーダー２１にマクロアタッチメントが設定されたかを確認することができる。
【００７９】
図１１は、制御部１２が、マクロアタッチメントが設定されているフェーダー２１が操作されたときにマクロ機能を実行するための処理を示すフローチャートである。この処理では、そのフェーダー２１から送られるレバー２２の位置情報を取得すると（ステップＳ１１）、レバー２２の現在の位置が、マクロアタッチレジスタに登録されているそのフェーダー２１についてのマクロアタッチメントデータ中のパラメータ“ＦａｄｅｒＶａｌｕｅ”（図９参照）が示す位置に到達したか否かを判断する（ステップＳ１２）。
【００８０】
ノーであれば、ステップＳ１１に戻ってステップＳ１１及びＳ１２を繰り返す。そして、ステップＳ１２でイエスになると、押し釦群３１（図４）によってマクロアタッチメントの実行可能モードがオンにされているか否かを判断する（ステップＳ１３）。
【００８１】
ノーであれば、そのまま処理を終了する。他方イエスであれば、上記マクロアタッチメントデータ中のパラメータ“ＭａｃｒｏＲｅｇ”（図９参照）が示すレジスタ番号のマクロレジスタに、イベントデータが１つでも登録されているか否かを判断する（ステップＳ１４）。
【００８２】
ノーであれば、そのまま処理を終了する。他方イエスであれば、上記マクロアタッチメントデータ中のパラメータ“ＭａｃｒｏＭｏｄｅ”（図９参照）が示すモードで、マクロ機能を実行（そのマクロレジスタ内のイベントデータによって示される操作の手順を再現）する（ステップＳ１５）。そして処理を終了する。
【００８３】
この図１１の処理により、オペレータがフェーダー２１を操作するだけで、レバー２２が特定の位置（マクロアタッチメントの設定時にオペレータが任意に決定した位置）に到達したタイミングで、マクロレジスタに登録されている別の押し釦の機能が自動的に実行される。
【００８４】
図１２は、制御部１２が、マクロアタッチメントが設定されているフェーダー２１と同じ画像加工部４１に対応するオートトランジション釦２４（フェーダー２１ａについてはオートトランジション釦２４ａ、フェーダー２１ｂについてはオートトランジション釦２４ｂ）が操作されたときにマクロ機能を実行するための処理を示すフローチャートである。
【００８５】
この処理では、そのフェーダー２１のインジケータ２３での表示用にスイッチャ本体２内の制御部５０（図２）から送信される前述のタリー情報に基づいて、スイッチャ本体２内の合成処理部４５における２つの映像信号の現在の出力割合に一致するレバー２２の位置を確認する（ステップＳ２１）。
【００８６】
そして、そのレバー２２の位置が、マクロアタッチレジスタに登録されているそのフェーダー２１についてのマクロアタッチメントデータ中のパラメータ“ＦａｄｅｒＶａｌｕｅ”（図９参照）が示す位置に到達したか否かを判断する（ステップＳ２２）。
【００８７】
ノーであれば、ステップＳ２１に戻ってステップＳ２１及びＳ２２を繰り返す。そして、ステップＳ２２でイエスになると、ステップＳ２３に進む。このステップＳ２３以降の処理は、図１１のステップＳ１３以降の処理と同じであるので、説明を省略する。
【００８８】
この図１２の処理により、オペレータがオートトランジション釦２４を操作したときにも、レバー２２の特定の位置に対応する出力割合に到達したタイミングで、マクロレジスタに登録されている別の押し釦の機能が自動的に実行される。
【００８９】
なお、制御部１２は、図１１や図１２の処理によってマクロ機能を実行した時点（ステップＳ１５，Ｓ２５の時点）で、インジケータ２３の表示状態を変化させる（例えば、点灯状態から点滅状態に変化させたり、表示色を変化させる）。これにより、オペレータは、マクロ機能が実行されたことを確認することができる。
【００９０】
以上のように、このスイッチャでは、フェーダー２１またはオートトランジション釦２４を操作するだけで、 スイッチャ本体２内の合成処理部４５における２つの映像信号の出力割合を示すパラメータが或る特定の値になったタイミングで、別の押し釦の機能が自動的に実行される。これにより、フェーダー２１やオートトランジション釦２４の操作に連動して、容易且つ正確に別の機能を実行させることができる。
【００９１】
また、マクロアタッチメントの設定時にはフェーダー２１のレバー２２の位置を任意の位置に決定することができるので、任意のタイミングでこの別の押し釦の機能を実行させることができる。
【００９２】
さらに、複数のイベントデータを登録したマクロレジスタにフェーダー２１を割り付けることにより、複数の押し釦の操作手順が、フェーダー２１やオートトランジション釦２４の操作と連動して自動的に再現される。したがって、フェーダー２１やオートトランジション釦２４の操作と連動して、複雑な手順で一連の機能を実行したり、別の多数の機能を一度に実行する必要がある場合にも、それらの機能を正確に実行させることができる。
【００９３】
最後に、フェーダー２１やオートトランジション釦２４の操作に連動させる機能の具体例を紹介する。
【００９４】
図１３は、トランジション効果としてワイプを施す際に、ＶＴＲ４（図１）の制御を連動させる例を示す。シーンチェンジのためにワイプやＤＭＥワイプを利用する場合には、切り換え前の映像と切り換え後の映像との境界がある位置に達したところから、境界付近に別の映像（ＶＴＲからの映像信号や、キーフレームデータや、アニメーションデータ）を表示することで、シーンチェンジをよりダイナミックなものにすることができる。
【００９５】
図１３には、ワイプ時のこの境界がある位置に達した（左端の１−Ａ）ところで、境界部分が幅を持ち（中央の１−Ｂ）、その中をＶＴＲからの映像信号（“ＳＯＮＹ”というロゴ）が上から下に流れながら、切り換え後の映像の出力割合が増大していく（右端の１−Ｃ）ような映像効果を図示している。
【００９６】
このような場合、フェーダー２１へのマクロアタッチメントの設定時に、ＶＴＲ制御用の押し釦群２８（図４）の操作によるイベントデータを登録したマクロレジスタを割り付けておけば、フェーダー２１またはオートトランジション釦２４を操作するだけで、ワイプ時の境界がこの位置を通過すると同時にＶＴＲ４からこのロゴが自動的に再生されて、目的とする画像効果を得ることができる。
【００９７】
図４にはキーフレームやアニメーション用の押し釦は示していないが、それらの押し釦群の操作によるイベントデータを登録したマクロレジスタを割り付けることにより、キーフレームデータやアニメーションデータを同様にして自動的に再生させることができるのはもちろんである。
【００９８】
図１４は、トランジション効果としてキーイング合成を施す際に、スイッチャ本体２内のキー処理部４６やキー信号選択部４７（図２）の制御を連動させる例を示す。図１４の上段に示すように、背景画像ＢＫＧＤが表示されている画面（左端の２−Ａ）の一部の領域別の画像ＰｉｎＰが挿入され（中央の２−Ｂ）、一定時間の後、その画像ＰｉｎＰが画面外に消失する（右端の２−Ｃ）ような画像変化は、報道番組やスポーツ番組で多用されている。
【００９９】
このとき、画像ＰｉｎＰの挿入操作にタイミングを合わせて、タイトルやロゴ等の字幕（キー信号）を合成する場合が多い。このような場合、フェーダー２１へのマクロアタッチメントの設定時に、キー信号選択用の押し釦群２６やキーオン／オフ切り換え釦２７（図４）の操作によるイベントデータを登録したマクロレジスタを割り付けておけば、フェーダー２１を操作するだけで、図１４の下段に示すように、画像ＰｉｎＰの挿入操作を行うのと同時に自動的に字幕を合成させ（中央の２−Ｅ）、画像ＰｉｎＰの挿入を解除する操作と同時に自動的に字幕を消去させることができる。
【０１００】
以上のように、報道編集やスポーツ番組制作において、映像効果として比較的よく利用されるような出力画像を、操作上のミスや送出ミスなしに手軽に作成することができるようになる。
【０１０１】
なお、以上の例では、１つのフェーダー２１に対しては１つのマクロアタッチメントデータだけを登録できるようになっている（図８のステップＳ５〜Ｓ７）。しかし、別の例として、１つのフェーダー２１に対して、レバー２２の位置が異なる毎にそれぞれマクロアタッチメントデータを登録できるようにしてもよい。それにより、レバー２２を一方の端部からもう一方の端部にまで移動させる間に、複数のマクロ機能を順次自動的に実行させることができるようになる。
【０１０２】
また、以上の例では、図８に示したように、フェーダー２１自体の操作によってフェーダー２１にマクロアタッチメントを設定している。しかし、コントロールパネル１の制御部１２が、２つの映像信号の出力割合を示すパラメータを、コントロールパネル１の外部からの制御信号（例えばＧＰＩ信号）に基づいて算出してスイッチャ本体２内の制御部５０に送信する処理を実行可能である場合には、その算出したパラメータが任意の値になったタイミングでアタッチメント位置設定用釦３２を操作することにより、フェーダー２１にマクロアタッチメントを設定できるようにしてもよい。
【０１０３】
また、以上の例では、トランジション効果を施す際の２つの映像信号の出力割合を示すパラメータが或る特定の値になったタイミングで、マクロ機能が自動的に実行されるようにしている。しかし、別の例として、映像信号に対して各種の加工処理（輝度調整や、モザイク処理のようなデジタル加工）を施す画像信号加工装置に本発明を適用し、その加工を行うためのパラメータが或る特定の値になったタイミングでマクロ機能が自動的に実行されるようにしてもよい。
【０１０４】
また、以上の例では、コントロールパネル１を一台設けたスイッチャに本発明を適用している。しかし、別の例として、一台のスイッチャ本体に対して複数台のコントロールパネルを設けたスイッチャにも本発明を適用してよい。その場合には、例えば、いずれか一台のコントロールパネルでフェーダーにマクロアタッチメントを設定することにより、全てのコントロールパネルでフェーダーの操作に連動してマクロ機能が実行されるようにすることが好適である。
【０１０５】
また、以上の例では、画像信号加工装置の一種であるスイッチャに本発明を適用している。しかし、別の例として、音声信号に対して合成等の加工処理を施す装置に本発明を適用し、その加工を行うためのパラメータが或る特定の値になったタイミングでマクロ機能が自動的に実行されるようにしてもよい。
【図面の簡単な説明】
【０１０６】
【図１】本発明を適用したスイッチャの全体構成を示す図である。
【図２】スイッチャ本体の構成例を示す図である。
【図３】コントロールパネルの構成を示す図である。
【図４】コントロールパネルの操作卓上の操作手段を示す図である。
【図５】フェーダーのレバーの位置と２つの映像信号の出力割合との関係を例示する図である。
【図６】イベントデータを例示する図である。
【図７】マクロアタッチメントデータ中のパラメータを例示する図である。
【図８】フェーダーへのマクロアタッチメントの設定のための処理を示すフローチャートである。
【図９】フェーダーについてのマクロアタッチメントデータを例示する図である。
【図１０】フェーダーのレバーが真中の位置にある状態を示す図である。
【図１１】フェーダーの操作時にマクロ機能を実行するための処理を示すフローチャートである。
【図１２】オートトランジション釦の操作時にマクロ機能を実行するための処理を示すフローチャートである。
【図１３】トランジション効果と連動してＶＴＲを制御する例を示す図である。
【図１４】トランジション効果と連動して字幕を合成する例を示す図である。
【符号の説明】
【０１０７】
１  コントロールパネル、  ２  スイッチャ本体、  ３  ＬＡＮ、  ４  ＶＴＲ、  ５  モニター、  １１  操作卓、  １２  制御部、  ２１ａ，２１ｂ  フェーダー、  ２２  レバー、  ２３  インジケータ、  ２４ａ，２４ｂ  オートトランジション釦、  ２５ａ，２５ｂ  入力選択用の押し釦群、  ２６  キー信号選択用の押し釦群、  ２７ａ，２７ｂ  キーオン／オフ切り換え釦、  ２８  ＶＴＲ制御用の押し釦群、  ２９  マクロレジスタ呼出し釦、  ３０  テンキー、  ３１  マクロ設定・実行用の押し釦群、  ３２ａ，３２ｂ  アタッチメント位置設定用釦、  ４１ａ，４１ｂ  画像加工部、  ４２  入力選択部、  ４５  合成処理部、  ４６  キー処理部、  ４７  キー信号選択部、  ５０  制御部
【図１】
2007053541.tif 000003
【図２】
2007053541.tif 000004
【図３】
2007053541.tif 000005
【図４】
2007053541.tif 000006
【図５】
2007053541.tif 000007
【図６】
2007053541.tif 000008
【図７】
2007053541.tif 000009
【図８】
2007053541.tif 000010
【図９】
2007053541.tif 000011
【図１０】
2007053541.tif 000012
【図１１】
2007053541.tif 000013
【図１２】
2007053541.tif 000014
【図１３】
2007053541.tif 000015
【図１４】
2007053541.tif 000016